Podtech/llm-jp-corpus-v4-ja_patent huggingface dataset:
(57)【要約】　　　（修正有）【課題】首や頭に巻いたり結んだりする必要がなく、ずれたりほどけたりする心配も少なく、保温性もより高くなる保温剤を提供する。【解決手段】所定の形状に保温材を裁断し、その周囲に体の部位にまとわりつくような形状にした補強材２を入れる。補強材２は、強靭な弾力性と強度を有するプラスチックやカーボンや金属製などの細い線材（特に、形状記憶合金）を使い、体温で体の部位に密着させる形状にする。さらに、マジックテープ３，４を付け体への密着度を調節する。又耳の部分５は、外音が聞えるように小穴をあけるか、聞えやすい材料にする。【選択図】　図２
2004073813.tif 000002
【特許請求の範囲】
【請求項１】
一定形状の保温材の周囲に、体に密着させる目的で補強材（強靭な弾力性と強度を有するプラスチックやカーボンや金属製などの細い線材、とくに形状記憶合金を使い体温で体の部位に密着させる形状にする）を通して、体の部位に密着せしめて保温性を高める。
【発明の詳細な説明】
【０００１】
〔発明の属する技術分野〕
この発明は、保温材と各種補強材を使って、体の部位に密着させうる保温具に関するものである。
【０００２】
〔従来の技術〕
従来、エリもとや頭などを保温するには、エリマキ、マフラー、スカーフなどあるが、実用面で不十分なところも多い。
【０００３】
〔発明が解決しようとする課題〕
これには次のような欠点があった。
（イ）機能的、実用的面でもっと使い易く改良できないか。
（ロ）首や頭に巻いたり、結んだりすると、体を動かすことでずれたり、ほどけたりする。もっと体の部位に密着できる構造になり得ないか、そうすれば保温性も高まる。
（ハ）長いものがひらひらしたり、結び目がほどけたり、首に巻いたものがはずれたりして、両手がふさがっている時や自転車などに乗っている時など危くかつ直すのも面倒である。
【０００４】
〔課題を解決するための手段〕
保温具の形状は首から頭にかけて密着できうる図−１のような形状にする。保温に必要なところを覆う保温材の周囲に各種の強靭な弾力性と強度を有する補強材を通して、首や頭に適当な力でまとわりつく構造にする。更にしっかりと固定するためにマジックテープで首や頭まわりにしめ具合を調節できるようにする。また、保温材も、使用目的により、保温の程度、厚さ、吸湿性などを考慮し選択する必要がある。補強材としては、強靭な弾力性と強度を必要とし、洗濯しても、クシャクシャにしても元の形に戻り得るものが望しい。プラスチィックでもカーボンでも金属でもよいが、とくに、形状記憶合金を使った場合、体温で元の形状に戻る構造にしておけばクシャクシャになっても使用時にきちんとなりうる。
【０００５】
〔発明の実施の形態〕
一定形状の保温材（１）の周りに補強材（２）を取り付け、図−２のような形状にする。マジックテープ（３），（４）をつける。耳のところ（５）は寒くなくかつ、外音がきこえる構造にする。（穴をあけるか、聞えやすい材料を使用する。）
【０００６】
〔実施例〕
以下、本発明の実施例について説明する。
（イ）保温材（１）を図−２の形状に裁断する。補強材（２）を二つ折にしたテープの山の部分に縫い込む。これをさらに保温材（１）の外周に縫いつけていく。補強材（２）はもともと体にまとわりつくように作られており、保温材を体の部位に密着させる形状を有する。さらにマジックテープ（３），（４）を付けて体に密着する程度を調節する。また耳に接触する部分の保温材（５）は、外の音が聞こえやすくするために、小穴をあけるか、聞こえやすい材料にするかの構造にする。
（ロ）又二枚の保温材を周囲で縫い合せ、ひっくり返したところの周囲に、一定形状に作られた補強剤（図−３）を入れ縫いつけるか、保温材の周囲の部分に縫いつけてもよい。同様にマジックテープを縫いつけて調節機能をもたせる。図−４
（ハ）又保温具の保温材の外側にあたる部分にポケットを設け図−５、より加温を要する場合は加温用の加熱剤をいれてもよい。又冷やす時も同様に冷却剤をいれてもよい。またポケット部分に、気化しやすい液体でしめらせた布などをつけ、気化熱で冷やす方法もよい。その際気化しやすい液体の容器をポケット内に別につけて液を布の方へ流してもよい。図−５
【０００７】
〔発明の効果〕
保温材に補強材を入れた保温具を首のまわりにつけると、補強材の力で自然とまるくなり首のまわりにまとわりつく。さらにマジックテープで密着度を調整する。簡単に身につけられ実用的かつ機能的でもある。図−６
巻いたり結んだりする必要はなく、ずれたりほどけたりする心配も少なく、保温性もより高くなる。長いものがひらひらしたりして、自転車などに乗った時など危いことはない。両手がふさがっている時でも、ずれたり、ほどけたりする心配もない。首と同様に頭に巻いても頭と耳との保温効果がある。
【図面の簡単な説明】
【図１】保温具の全体図
【図２】保温具の展開図
【図３】形状記憶合金の針金
【図４】実施状況（１）
【図５】実施状況（２）
【図６】使用例
【符号の説明】
１．保温材　２．補強材　３．マジックテープ　４．マジックテープ　５．耳の部分
【図１】
2004073813.tif 000003
【図２】
2004073813.tif 000004
【図３】
2004073813.tif 000005
【図４】
2004073813.tif 000006
【図５】
2004073813.tif 000007
【図６】
2004073813.tif 000008
(57)【要約】【課題】正座を楽に行うための正座補助具に関し、儀式等において、人目につかずに使用できるものを提供する。【解決手段】お尻を載せて上体を支持する小さな椅子のような支持具に帯布を取付ける。別に、腰部の下着上に着用する内ベルトを用意する。帯布の両端部を、それぞれ、腰部に着用した内ベルトの前後部に挾着することにより、支持具を股間に保持できるようにする。前記の部材はすべて上着、式衣の下に隠れているから、式場内で人目につかず、支持具に助けられて、正座を楽に行うことができる。【選択図】　なし【特許請求の範囲】
【請求項１】
お尻を載せて上体を支持する小さな椅子のような支持具（１）と、その支持具に取付けた帯布（２）と、腰部の下着上に着用する内ベルト（３）とで成り、帯布（２）の両端部を、それぞれ、腰部に着用した内ベルト（３）の前後部に挾着することにより、支持具（１）を股間に保持できるようにしたことを特徴とする正座補助具。
【請求項２】
お尻を載せて上体を支持する小さな椅子のような支持具（１）に、その支持具を股間に保持するための帯布（２）を取付けたことを特徴とする正座補助具。
【発明の詳細な説明】
【０００１】
【発明の属する技術分野】
この発明は、正座を楽に行うための正座補助具に係る。
【０００２】
【発明の背景】
儀式等において、長時間の正座を楽に行うために、小さな椅子のような道具を使用することは可能であるが、例えば、厳粛な葬儀を執り行う僧職が、衆人注視の中で、出し入れが人目を引く前記のような道具を使用するのは、僧職の面目上、はばかられるところである。
【０００３】
【発明が解決しようとする課題】
上記の事情にかんがみ、この発明の課題は、正座を楽に行うための正座補助具に関し、儀式等において、人目につかずに使用できるものを提供することにある。
【０００４】
【課題を解決するための手段】
この発明が採用した手段を図を用いて述べると次のとおりである。
１．お尻を載せて上体を支持する小さな椅子のような支持具（１）に、帯布（２）を取付ける。
２．腰部の下着上に着用する内ベルト（３）を用意する。
３．帯布（２）の両端部を、それぞれ、腰部に着用した内ベルト（３）の前後部に挾着することにより、支持具（１）を股間に保持できるようにする。
【０００５】
【作用及び効果】
葬儀をつかさどる僧職の場合、帯布を取付けた支持具の着脱を寺院方控室で行えば、葬儀中、支持具は上着と法衣で隠されているから、人目にふれることは全くない。そして、控室と葬儀場との往復は、粛々とした静かな歩みで行われるので、股間に保持した支持具が歩行を妨げることはない。
【０００６】
小さな椅子のような、この発明の支持具に、お尻を載せて上体を支持すると、ひざとふくらはぎ下部との間にゆとりが生じるため、上体による足部への圧迫がなくなり、血行の阻害が防がれるので、相当時間正座しても、足のしびれなどを起こさず、すっくと立ち上がることができる。
【０００７】
【発明の実施の形態】
図１はこの発明の支持具を例示する。支持具（１）の上面に、帯布（２）が支持具の両端部から充分なはみ出し部分を保持した状態で取付けられている。このはみ出し部分は、帯布を内ベルトに挾着し、支持具を股間に保持するために必要である。図中、帯布の取付けにひも（４）が用いられているが、接着等の他の取付け手段を用いることもできる。帯布は支持具（１）の長方形の上面の長さ方向と方向を同じにして取付けられる。これにより、支持具を幅の狭い状態で股間に保持することができる。この支持具（１）は折りたたみ可能に作られており、上面にはクッション層が設けられている。
【０００８】
図２はこの発明の支持具の別例を示す。支持具（１）はプラスチック製の箱型に形成されている。箱の中は空洞である。
支持具に関しては、小型で、適当な高さを持ち、強くて軽いものであればよく、材質、形状、構造等は限定されない。
【０００９】
この発明品の使用方法について述べる。支持具（１）に取付けた帯布（２）の一端部を、腰部の下着上に着用した内ベルト（３）の後部（図３のＢ）に差し込み、帯布を内ベルトに挾着する。帯布（２）の他端部を内ベルト（３）の前部（図３のＡ）に差し込む。その差し込み端部を下方にたぐって支持具を吊り上げ、股間に位置させる。上着及び式衣をまとい、儀式の開始と共に、正座が求められる所定の場所へ移行し、上体を支持具上にあずけて正座する。
【００１０】
股間に吊るし上げられた支持具は、内ベルトへの帯布の挾着によって保持されるが、挾着をさらに強固にするために、帯布に面ファスナーを取付けることができる。
内ベルトの代わりに腰ひもを使用するのは、その作用効果からみて、内ベルトを使用するのと均等とみなされる。
【図面の簡単な説明】
【図１】この発明に使用する支持具の１例を示す。
【図２】この発明に使用する支持具の別例を示す。
【図３】この発明品の使用の状態を示す。Ａは前から見た図、Ｂは後から見た図である。
【符号の説明】
１…支持具、　２…帯布、　３…内ベルト、　４…ひも。
【図１】
2004073808.tif 000002
【図２】
2004073808.tif 000003
【図３】
2004073808.tif 000004
(57)【要約】【課題】高年齢化する社会の中で、人間の身体の老化は、病名が付かなくても、日々進んでゆく。失禁パンツを使うほどではないが，放尿するたびに、２，３敵の尿を下着に垂らしてしまう男性。垂らした尿がせめてズボン迄シミでない様防ぎたい。女性は，少女時代から老いる迄、生理，お産と常に下着の汚れ等悩みの種である反面、身だしなみとして、いつも綺麗な下着を身にしたい欲望をもつ。【解決手段】吸水の強い紙を何枚か重ね１枚の平面なシートとして、片面に粘着性を持たせ繊維に貼りつくよう、又はがしやすいシートにする。男性，の下着の放尿口の位置する部位に貼り付けておけば、放尿後の２，３敵の尿の吸収は出来，ズボン迄シミ出るようなことは防げる。女性の場合、下着の汚れる部位に貼り付け、下着の汚れ、臭い、黄ばみを防ぐ事が出来、いつも清潔な下着を身に着けることが出来る。【選択図】　　　図１
2004073803.tif 000002
【特許請求の範囲】
【請求項１】
吸水に優れた薄い紙を何枚か重ね１０ｃｍ四方位の大きさの、片面を繊維に貼り付く様に、粘着性を持たせた平面な１枚のシートとし、男性が放尿後、終ったと思い立ち去ろうとする時、２，３滴の尿が垂れてきて着用しているズボンに尿のシミを作ることが度々である。残り尿を吸い取るために、着用している下着の内側の、放尿口の向いている位置に貼り付けておくことにより、ズボンの表面に尿のシミ出るの防ぐ。
女性の場合、生理時以外でも、下り物等により下着の汚れ、変色、臭いを防ぐ為に、着用下着の放尿口の位置するところに貼り付けることにより、これらを防止出来る。携帯テッシュペーパー感覚で、常に携帯でき、汚れれば交換、捨てるのも容易である。
【発明の詳細な説明】
【０００１】
【発明の属する技術分野】
この発明は、男性の場合は高年齢になるに従い、病気とは言えないが、放尿終了後も２、３滴の残尿が垂れてくる事が多い。
女性のように放尿後、放尿口をテッシュペーパーで拭き取る事は男性の場合は、ほとんどしない。
女性の場合、年齢に関係なく下着の汚れ、変色、臭いを防ぐための手段が欲しい。吸水性の高い薄い紙を何枚か重ね、平面な１枚のシートにして、片面を衣類に貼りつくよう、粘着性をもたせ、着用している下着の汚れやすい部位に貼つけて使用する。
【０００２】
【従来の技術】
従来は、おもらし用の失禁パンツ、女性の生理用ナプキンや携帯用テッシュペーパー、介護用品としての尿吸収用パットしかない。
健常者でありながら毎日、かような品を身につけての行動では、精神的にも悩み、他人に話せないつらい事である。
【０００３】
【発明が解決しようとする課題】
本発明は、高齢化するに従い、，男性は、放尿を済ませても、これで終わったと思い、その場を立ち去ろうとする時２，３敵の尿が下着だけでなくズボンまで伝い走り、濡らすことが度々である。
女性は若い時代から高齢化へと進んでも常に下着の汚れ、臭いはつきまとう。失禁パンツ、生理用ナプキンを常に使うほどではないが、男女とも、これらの悩みを携帯用テッシュペーパーを使うような感覚で使えるよう考案した。
【０００４】
【課題を解決するための手段】
男性の場合放尿後、２，３敵の残尿で着用しているズボンを濡らすこが無いよう放尿口の向いている部位に軽尿漏れ吸い取りシートを貼り付けておく。
女性は下着の汚れそうな部位に貼り付け、汚れ方により交換すればよく、捨てるのも容易である。
【０００５】
【発明の実施の形態】
以下、本発明の実施の形態について説明する。
着用している下着の内側に男性・女性それぞれ軽尿漏れ吸い取りシートを貼りつければよい。男性は、放尿後の２，３敵の少しの尿漏れによる、ズボンにシミ出るのを防ぎ、女性も下着を汚すことなく下り物等による変色を防ぐ。いかに高価な下着を身に付けていても、黄ばんだ下着では女性の魅力は失ってしまう。
【０００６】
【発明の効果】
本発明を使用することにより、男性は放尿後もズボンが濡れていないか気にすることもなく、女性も常に綺麗で清潔な下着を着用し、物干しに干すのにもためらわずに済む。
携帯テッシュペーパー同様，常時携帯し，汚れた時は交換し、捨てるのも容易である。
【図面の簡単な説明】
【図１】Ａ）男下着パンツ
Ｂ）女下着パンツ
Ｃ）軽尿漏れ吸い取りシートと、使用貼り付け部位
【図１】
2004073803.tif 000003
(57)【要約】　　　（修正有）【課題】音楽教室、学習塾等で習い事をする時、譜面やドリル、書物を机の上で見やすい状態に保持する方法に関するものである【解決手段】譜面台を使用できるように拡げてＡ４からＢ５の市販の下敷をその背もたれ部分に立てかけ、その上に譜面、ドリル、教科書をたてかけて見やすい角度に調節して使用する。【効果】小さな鞄に入れても、他のもののじゃまにならない大きさに、すなわち、携帯に便利でしかも自分専用の使い勝手の良い譜面台を使うことで学習意欲の向上も期待出来る【選択図】　図７
2004073810.tif 000002
【特許請求の範囲】
【請求項１】
小さなバッグに入る大きさに折りたたんで携帯出来る様に作られた譜面台の構成
【発明の詳細な説明】
【０００１】
【発明の属する技術分野】
この発明は、各種教室で机に向って学習する時に使用するもので、教科書、ドリル、譜面等を狭い机の上を広く利用出来て、しかも見やすい状態にする方法に関するものである
【０００２】
【従来の技術】
昔から使われている書見台や譜面台は、すべて大型の為教室用、家庭用、ホール用とそれぞれの場所にそなえ付けで利用されていた
【０００３】
【発明が解決しようとする課題】
最近の各種教室や学習塾ばやりの状況を見ると、バッグに入れて持ち運びの出来る折りたたみ譜面台を利用する事で、学習意欲の向上を見込めると云う、使用者の強い要望にこたえるためにと考え、発明したものである
【０００４】
【課題を解決するための手段】
今その構成を説明すると譜面台を使用出来る様に拡げてＡ４かＢ５の市販の下敷をその背もたれ部分に立てかけるその上に譜面、ドリル、教科書をたてかけて見やすい角度に調節して使用する
【０００５】
【発明の実施の形態】
（イ）　次に本発明の実施の形態を述べると、使用状態に拡げた譜面台の背もたれ部分にＡ４かＢ５の下敷をたてかけその上に譜面や学習ドリルをのせて使用する
（ロ）　譜面台の背もたれ部分は譜面等を見やすい角度にするため２段に調節できる様にしたので、使いやすい角度を選べる
【０００６】
【発明の効果】
譜面でも学習ドリルでも、机の上にたいらに置くよりも、譜面台で立てた状態の方が見やすいし、せまい机の上を広く使える利点がある
【図面の簡単な説明】
【図１】正面図
【図２】背面図
【図３】平面図
【図４】右側面図（左側面図は同型のため省略）
【図５】底面図
【図６】Ａ　折りたたんだ状態の平面図
Ｂ　折りたたんだ状態の右側面透視図
Ｃ　Ｂの１をはずした状態の平面図
Ｄ　Ｅの底面図
Ｅ　Ｂの１とＤの右側面図
Ｆ　Ｃの３と同じ、突っかえ棒の部分
Ｇ　Ｆの右側面図、Ｂの３も同じ
Ｈ　折りたたみ部分の拡げる途中の状態の図
符号　１．Ｄ、Ｅは図４に見られる背もたれ部分
２．は背もたれ部１の裏面の切り込で、使用状態では３を６を支点に立て、１２の先端をこの凹部に入れて角度を固定する
３．は背もたれ部分１の突っかえ棒
４．は折りたたみ装置、図６−Ｈの構造で開閉する
５　は１の開閉の支点、金属芯
６　は３の開閉の支点、金属芯
７　は４の開閉の支点、金属芯
８　はボールト穴
９　は左右の連結部分
１０は図２の中央下部に見える連結部分の切込み
１１はボールト
１２は２の凹部に入る突っかえ棒の先端
【図７】Ａ　使用状態の斜視図
Ｂ　使用状態の正面図。破線は下敷で、これを使う事で譜面を安定した状態で見られる
【図１】
2004073810.tif 000003
【図２】
2004073810.tif 000004
【図３】
2004073810.tif 000005
【図４】
2004073810.tif 000006
【図５】
2004073810.tif 000007
【図６】
2004073810.tif 000008
【図７】
2004073810.tif 000009
(57)【要約】【課題】ヘッドセットのツボ押し板に設けたツボ押し突起が、こめかみのツボに刺激を与えて血行を促進させ、目の疲労などの軽減を図ることができる器具を提供することである。【解決手段】頭部フレーム（１）の両端にアーム（２）を設け、ツボ押し板（３）の穴に、ツボの位置に応じて任意に差し込むことができるツボ押し突起（４）を設け、頭部フレーム（１）とアーム（２）の弾性力によって、ツボ押し突起（４）がこめかみのツボに刺激を与えることができるヘッドセットによる。【選択図】　図１
2004073805.tif 000002
【特許請求の範囲】
【請求項１】
頭部フレーム（１）の両端にアーム（２）を設け、ツボ押し板（３）の穴に、ツボの位置に応じて任意に差し込むことができるツボ押し突起（４）を設け、頭部フレーム（１）とアーム（２）の弾性力によって、ツボ押し突起（４）がこめかみのツボに刺激を与えることができるヘッドセット
【発明の詳細な説明】
【０００１】
【発明の属する技術分野】
この発明は、ヘッドセットのツボ押し板に設けたツボ押し突起が、こめかみのツボに刺激を与えて血行を促進させ、目の疲労などの軽減を図ることができる器具に関するものである。
【０００２】
【従来の技術】
従来、目の疲労の軽減を図ろうとするものには、目の周囲全体を覆うマスクに磁気を発生する装置を備えるなどして、ツボに刺激を与えて効果を得ようとする器具が考案されている。また、ヘッドセットのように簡便に装着して、こめかみのツボに刺激を与えることができる器具はなかった。
【０００３】
【発明が解決しようとする課題】
これには、次のような欠点があった。
目の周囲全体を覆うマスクのような構造では、顔の大きさに個人差があるため、適切なツボの位置に刺激を与えるのが困難である。また、パソコンなどの普及により目を酷使する機会が増加したため、ヘッドセットのように簡便な構造で、どこでも気軽に装着してツボに刺激を与え、目の疲労などの軽減を図ることができる器具の必要性は高い。
本発明は、これらの欠点を解決するためになされたものである。
【０００４】
【課題を解決するための手段】
頭部フレーム（１）の両端にアーム（２）を設け、ツボ押し板（３）の穴に、ツボの位置に応じて任意に差し込むことができるツボ押し突起（４）を設け、頭部フレーム（１）とアーム（２）の弾性力によって、ツボ押し突起（４）がこめかみのツボに刺激を与えることができるヘッドセットによる。
【０００５】
【発明の実施の形態】
以下、本発明の実施の形態について説明する。
（イ）　弾性力のある頭部フレーム（１）の両端に、頭部フレーム（１）を出し入れすることができるアーム（２）を設ける。
（ロ）　ツボ押し板（３）の表面に多数の穴を設け、こめかみのツボの位置に応じて、任意の穴に差し込み取り付けることができるツボ押し突起（４）を設ける。
本発明は、以上のような構成であり、使用するときは次のようにする。
ツボ押し板（３）の表面の穴に、こめかみのツボの位置に合わせてツボ押し突起（４）を取り付ける。アーム（２）で頭部フレーム（１）の長さを調整し、図２のごとく、ツボ押し板（３）をこめかみの位置に合わせて装着する。頭部フレーム（１）とアーム（２）の弾性力によって、ツボ押し板（３）に設けたツボ押し突起（４）は、こめかみに押さえ付けられてツボに刺激が与えられる。
なお、頭部フレーム（１）は、弾性力が異なるものを用いたり、ツボ押し突起（４）は、形状や硬度の異なるものを多数備えることによって、ユーザーの好みに応じてより効果的にツボに刺激を与えることができる。
さらに、ツボ押し板（３）やツボ押し突起（４）に磁石を埋め込むなどすると、指圧効果と同時に磁気による効果を得ることができる。
【０００６】
【発明の効果】
本発明を使用することによって、ヘッドセットのツボ押し板に設けたツボ押し突起が、こめかみのツボに刺激を与えて血行を促進させ、目の疲労などの軽減を図ることができる。
【図面の簡単な説明】
【図１】本発明の斜視図
【図２】本発明の使用状況を示す側面図
【符号の説明】
１　頭部フレーム
２　アーム
３　ツボ押し板
４　ツボ押し突起
【図１】
2004073805.tif 000003
【図２】
2004073805.tif 000004
(57)【要約】　　　（修正有）【課題】衛生面、ファッション性、強く握らなくても固定できる形。繰り返し使用できる小型軽量。耐久性に優れた食器。【解決手段】衛生面では簡単に洗浄できるように本体内面の凹凸もなだらかな面にして、ファッション性は家庭、レストラン、専門店等での仕様を考え、シンプルなデザインにして、リングをスライドさせる事で、捻れ、しなりも解消し耐久性も増し小型軽量も実現、まったく新しい食器である。【選択図】　　図１
2004073801.tif 000002
【特許請求の範囲】
【請求項１】
本体にリングを挿入してスライドさせる事によって、先端を絞り揚物を固定する食器。
【請求項２】
本体挟器内面に凹凸を付け、リングをスライドさせる時に合わせ捻り、しなりに対応する。
【発明の詳細な説明】
【０００１】
【発明の属する技術分野】
本発明は、油ですべり掴みにくい、固定しにくい、骨付き揚物等を手を汚さずに食べられるよう、挟器本体根元部よりリングを挿入し先端部にスライドさせて先端部を絞り、先端部内面の突起を利用して固定する食器である。
【０００２】
【従来の技術】
従来、揚物挟みは業務用としての簡単な物があるが、一般家庭、レストラン、専門店等への小型で便利性の高い揚物挟みはありません。
【０００３】
【発明の実施の形態】
本発明は強く握らず固定できるように図面について説明すれば、本体１の元部からリング２を挿入スライドさせ先端内面の突起を利用して固形物を固定し、又、側面図３の本体内面に付けた凹凸を合わせる事で、捻れやしなりに強く耐久性の高い物である。
【０００４】
【発明の効果】
この様にすれば、手が油で汚れず衛生面でも優れ子供や女性でも楽に出来、ファッション性にも優れ繰り返し使用できるため、耐久性もあり小型、軽量、便利性に優れた食器である。
【図面の簡単な説明】
【図１】本体正面図である。
【図２】左側面図である。
【図３】右側面図である。
【図４】リング取り外しの正面図である。
2004073801.tif 000003
2004073801.tif 000004
2004073801.tif 000005
2004073801.tif 000006
【手続補正書】
【提出日】平成14年11月19日(2002.11.19)
【手続補正１】
【補正対象書類名】図面
【補正対象項目名】全図
【補正方法】変更
【補正の内容】
【図１】
2004073801.tif 000007
【図２】
2004073801.tif 000008
【図３】
2004073801.tif 000009
【図４】
2004073801.tif 000010
(57)【要約】【課題】この発明は、手に何らかの障害を持つ人や握力が弱くなった高齢者の人のリハビリ用遊戯具として考えたもので、手を使うことが少なくなってきた人のため、遊びながら自然に、楽しみながら手を動かせるように工夫したリハビリ用遊戯具に関するものである。【解決手段】手首固定バンド（１）の両端の片側に面ファスナー（２ａ）を、もう一面に面ファスナー（２ｂ）を設け、鈴（３）に糸ゴム（４）を設け、糸ゴム（４）に大玉のウッドビーズ（５）と小玉のウッドビーズ（６）を設け、手首固定バンド（１）の片側に糸ゴム（４）を指の間隔くらいをあけて４本固定したことを特徴とする。【選択図】　図１
2004073804.tif 000002
【特許請求の範囲】
【請求項１】
（イ）　手首固定バンド（１）の両端の片側に面ファスナー（２ａ）を、もう一方の片側に面ファスナー（２ｂ）を設ける。
（ロ）　鈴（３）に糸ゴム（４）を設ける。
（ハ）　糸ゴム（４）に大玉のウッドビーズ（５）と小玉のウッドビーズ（６）を設ける。
（ニ）　手首固定バンド（１）の片側に糸ゴム（４）を指の間隔くらいをあけて４本固定する。
以上の構成よりなるリハビリ用遊戯具。
【発明の詳細な説明】
【０００１】
【発明の属する技術分野】
この発明は、手に何らかの障害を持つ人や握力が弱くなった高齢者の人のリハビリ用遊戯具として考えたもので、手を使うことが少なくなってきた人のため、自然体で、遊びの中で、楽しみながら手の運動ができるように工夫したリハビリ用遊戯具に関するものである。
【０００２】
【従来の技術】
従来、リハビリ用として、音を出しながら誰でも使える簡単な器具は、カスタネット、太鼓、鈴のおもちゃなどがあった。
また、物品の形状の凸部を利用して、神経のつぼを刺激できるように工夫した健康器具もあった。
【０００３】
【発明が解決しようとする課題】
これはつぎのような欠点があった。
物品の形状や構造に目新しい器具はなかった。
リハビリ用の器具は、リハビリが目的なので、その器具を使うことが、ときには苦痛になることもあった。
一人で遊べる器具はあったが、大勢で楽しみながら遊べる器具は少なかった。自然体で、人と競ってまで、遊びの中で、楽しみながらリハビリに使える器具は少なかった。
本発明は、以上のような欠点をなくすためになされたものである。
【０００４】
【課題を解決するための手段】
（イ）　手首固定バンド（１）の両端の片側に面ファスナー（２ａ）を、もう一方の片側に面ファスナー（２ｂ）を設ける。
（ロ）　鈴（３）に糸ゴム（４）を設ける。
（ハ）　糸ゴム（４）に大玉のウッドビーズ（５）と小玉のウッドビーズ（６）を設ける。
（ニ）　手首固定バンド（１）の片側に糸ゴム（４）を指の間隔くらいをあけて４本固定する。
本発明は、以上のような構成よりなるリハビリ用遊戯具である。
【０００５】
【発明の実施の形態】
以下、本発明の実施例について説明する。
手首固定バンド（１）の両端に着脱及び調整できるように片側に面ファスナー（２ａ）を、もう一方の片側に面ファスナー（２ｂ）を設ける。
手首に固定するための、固定具は一実施例として説明したが面ファスナー（２ａ）、（２ｂ）に限らなくてもよい。
鈴（３）の頭部に糸ゴム（４）を設ける。
糸ゴム（４）に穴を通して、大玉のウッドビーズ（５）と小玉のウッドビーズ（６）を設ける。
手首固定バンド（１）の片側に糸ゴム（４）を指の間隔くらいをあけて、指の間の数だけ４本分固定する。
糸ゴム（４）の長さは手の長さくらいにする。
手首固定バンド（１）に糸ゴム（４）で小玉のウッドビーズ（６）と大玉のウッドビーズ（５）と鈴（３）がぶら下がった状態にする。
糸ゴム（４）に穴を通して、小玉のウッドビーズ（６）と大玉のウッドビーズ（５）と鈴（３）は重ねるように合体させる。
手首固定バンド（１）の任意の箇所にフック（７）を設ける
本発明は以上のような構造で、これを使用するときは、鈴（３）のついた方を５本の指で握るように、全部手の中に持って、手首に固定バンド（１）を面ファスナー（２ａ）と面ファスナー（２ｂ）で装着する。
または、鈴（３）のついた糸ゴム（４）を振ることにより、鈴の音（３）が楽しめたり、手首の軽い運動になりリハビリができる。
鈴（３）のついた糸ゴム（４）を指の間に出して遊ぶこともできる。
指を少し開いて順番に鈴（３）を移動させる。
このようにして使うと、指の開いたり、閉じたりする簡単な動作のリハビリができる。
フック（７）をつけておけば、携帯するときに持ちやすく便利である。
本発明のリハビリ用遊戯具は、鈴と木の玉で作っているので、全部を手の平の中に収めて揉むことで手の中の神経を刺激してリハビリの効果をあげることができる。
【０００６】
【発明の効果】
本発明を使うことにより、手に何らかの障害を持つ人や握力が弱くなった高齢者の人でも鈴の爽やかな音と自然の素材である木の玉で作っているので、多くの人が一緒に遊戯を楽しむように遊べる。
一人で楽しみながらリハビリができる。
自然体で、遊びの中で使えるので苦痛になることもない。
手首や指を開く運動になりリハビリの効果をあげることができる。
【図面の簡単な説明】
【図１】本発明の斜視図である。
【図２】本発明を使用状態を示した斜視図である。
【図３】本発明の要部を示した説明図である。
【図４】本発明を使用状態を示した斜視図である。
【図５】本発明の使用状態を示した斜視図である。
【図６】本発明の使用状態を示した説明図である。
【符号の説明】
１　　手首固定バンド
２ａ　面ファスナー
２ｂ　面ファスナー
３　　鈴
４　　糸ゴム
５　　大玉のウッドビーズ
６　　小玉のウッドビーズ
７　　フック
【図１】
2004073804.tif 000003
【図２】
2004073804.tif 000004
【図３】
2004073804.tif 000005
【図４】
2004073804.tif 000006
【図５】
2004073804.tif 000007
【図６】
2004073804.tif 000008
(57)【要約】【課題】足の保護機能を有する農作業用長靴。【解決手段】従来の農作業用長靴が軽さと機動性を重視するあまり安全面がおろそかにされていたが、足裏が直接当たる中底部、そして中底に隣接する低い位置で周囲を取り巻くように配置された月型ダテ巻と称される部品について発泡体を配置し、そのことにより従来問題であった下からの突き上げや機械との接触での怪我の防止に役立つものである。さらに田植え時期の低い水温時でも発泡体の効果により、体温低下を防ぎ長時間の水中作業を可能としたものである。発泡体は靴の低い位置に配されるため、足の動きを阻害することなく上記のような効果を発揮するとこができる。【選択図】　　　　図１ID=005005 HE=038 WI=034 LX=0000 LY=0000>
2004073694.tif 000002
【特許請求の範囲】
【請求項１】
少なくとも丈が足のふくらはぎをこえる程度の長さを有する農作業用長靴において、該長靴本体（ａ）の中底面に発泡体を配したことを特徴とする農作業用長靴。
【請求項２】
靴の形状を保持し強度を上げるために靴周囲に配される一般的にダテ巻きと言われる部材に、発泡体を用いた請求項１記載の農作業用長靴。
【発明の詳細な説明】
【０００１】
【発明が属する技術分野】
本発明は田植えや草取り、稲刈りなど農作業時に使用される農作業用長靴に関するものである。
【０００２】
【従来の技術】
田植えに代表される農作業には、機械化が進んでいるとはいえふくらはぎを越える程の深さのある泥土中での作業が多いことから、膝下までの長さのある主として表面をゴムで覆った農作業用長靴が使用されている。
【０００３】
【発明が解決しようとする課題】
このような長靴は作業性と泥土中の歩行を考えて、作業に適したものを選択することが当該作業を大きな体力の消耗無しに行うための大事な要素となる。係る観点から最近の農作業用長靴は足との間にあまり隙間を設けないよう細く、また軽いものがほとんどである。
【０００４】
こうした長靴においては、当然底部も軽く足の動きがスムーズになる程度の硬さであることが望ましく、土木作業用途等に使用されるいわゆるプレス底ではなく、型ロールで圧延される底が使用されており、そのことは製造コストの面からいっても安価となるため一般的となっている。
【０００５】
このようにして製造された従来の農作業用長靴は足に密着し、かつ軽量であるため泥土中での作業をより容易にしているが、甲も底も薄いために石を踏んだり、爪先をぶつけたりした時の衝撃が大きいという問題がある。
【０００６】
すなわち、この農作業用長靴に使用されている型ロールで圧延された底は、厚さが５ｍｍ程度であり硬度も低いため、足の自由は確保できるが、例えば田のあぜ道や畑の作業時に小さな石や地面の突起を踏んでもかなりの痛みを感じてしまう。また、甲部に関しても一般の作業用長靴とは異なり、軽量とフィット感から薄手となっており、農作業中にはよくあることであるが爪先部分を機械などにぶつけたときの衝撃が大きいばかりでなく、切傷などの怪我をし易い状況にある。
【０００７】
さらに、特に北部地域においては田植え時期にはまだ水が冷たく、作業自体の機械化が進んでいるとはいえ現実的にはまだまだ水に入る作業が多いことから、薄手のものではすぐ足が冷えて長時間の労働は困難であり、効率の悪い作業を行う原因となっていた。
【０００８】
【課題を解決するための手段】
図１を参照して説明する。本発明に係る農作業用長靴は足の指先から踵、アキレス腱をカバーしている月型ダテ巻（ｃ）と中底（ｆ）に発泡体を使用したものであり、この発泡体の存在により下からの突き上げや、足をぶつけた時の衝撃が緩和されることになる。さらに発泡体の持つ空気層により保温性があがり、低温水中においても長時間の作業が可能となるものである。
【０００９】
【発明の実施の形態】
この発明に係る農作業用長靴の一実施形態については図３を参照して説明する。図３には農作業用長靴を成形する時の流れを示している。２で成型用金型（ｇ）に裏布（ｉ）をつり込み、金型全面を覆う。裏布固定後中底（ｆ）を金型（ｇ）の底面に接着するが、この中底の素材は加硫時に発泡する加硫同時発泡タイプのゴム配合シートである。４においてその上から甲前部と後部の補強部材として一般的に前後けん（ｂ）と称する部分にやはり同時発泡タイプのゴム配合シートを用い接着する。さらにその上から前後けんよりも低い位置で足回りを補強する月型ダテ巻（ｃ）を接着するが、この月型ダテ巻もまた中底（ｆ）と同様に動じ発泡配合のゴムシートである。６において甲ゴムを全面に接着、７で外底を接着した後熱加硫成型したものである。
【００１０】
この農作業用長靴（ａ）の作用について説明する。この長靴（ａ）は直接足の裏があたる中底部（ｆ）と足の周囲を保護する月型ダテ巻部（ｃ）に発泡体を配し、小石などによる下からの突き上げや機械などへの足の衝突等による衝撃の緩和、怪我の防止に役立つものである。
【００１１】
ゴムに配合される発泡剤は、熱で分解して窒素ガスや二酸化炭素ガスを放出してゴム中にガス層を形成するタイプを中心として様々なものが上市されているが、該長靴構成ゴムを架橋反応させる温度域で分解、発泡するものであればその種類は問わない。
【００１２】
発泡後の発泡層の厚さは、衝撃緩和の効果などを考えれば２ｍｍ〜２０ｍｍの範囲であるが、動き易さとの兼ね合いもあり３ｍｍ〜１０ｍｍの厚さが望ましい。
【００１３】
この実施例においては同時発泡の発泡ゴムシートを用いたが、特に同時発泡配合に限定するものではなく、市販のネオプレンゴムシートやゴム以外の素材の柔らかい発泡体であれば実用上問題はなく、インナーとして分離して使用することも可能である。
【００１４】
この実施例で前後けん（ｂ）を通常のゴムシートとして同時発泡タイプのゴムシートとしなかったのは、軽く作業性が良いことを特長としている農作業用長靴であるので、必要最低限の発泡体の使用にとどめたのであり、必要に応じて必要な部位に発泡体を配することを否定するものではない。
【００１５】
【発明の効果】
本発明に係る農作業用長靴は足裏の直接あたる中底と、それに隣接して指先から踵を通る周囲を補強する月型ダテ巻部の構成素材を柔軟な発泡体とすることにより、歩行時の小石等による下からの突き上げや指先、アキレス腱などの周囲の機械への衝突による衝撃の緩和や怪我の防止に役立つだけでなく、発泡体の保温効果により寒冷時の水中作業による足の冷えの防止効果も併せ持つ。
【図面の簡単な説明】
【図１】本発明に係る農作業用長靴の本体外観側面図である。
【図２】図１に示す農作業用長靴の断面図である。
【図３】図１に示す農作業用長靴の成形手順である。
【符号の説明】
ａ　　農作業用長靴本体
ｂ　　前後けん部
ｃ　　月型ダテ巻部
ｄ　　底部
ｅ　　甲部
ｆ　　中底部
ｇ　　成型用金型
ｈ　　裏布
【図１】
2004073694.tif 000003
【図２】
2004073694.tif 000004
【図３】
2004073694.tif 000005
(57)【要約】【課題】各種の不定愁訴を改善すべく、上顎歯に装用して下顎の位置を矯正しうる下顎位矯正具を提供する。【解決手段】上歯列弓に沿ったアクリル樹脂製の床２の咬合面２ａに下顎機能咬頭庄痕３を凹設し、床２の内面２ｂに上顎歯係合部７を凹設する。床２に左右一対のボールクラスプ４をそれぞれ上顎の左右の第１小臼歯と第２小臼歯の間に対応させて内面２ｂ側に突出する形で設ける。床２に左右一対の単純鉤５をそれぞれ上顎の左右の第２大臼歯に対応させて内面２ｂ側に突出する形で設け、下顎歯を所定方向へ誘導する誘導路６を下顎機能咬頭庄痕３に形成する。これにより、患者が上顎歯に床２を装着して咬合を行えば、そのたびに下顎が下顎機能咬頭庄痕３に押圧されて正しい向きに復位し、下顎歯が誘導路６によって所定方向へ誘導される。【選択図】　　　図１
2004073628.tif 000002
【特許請求の範囲】
【請求項１】
上歯列弓に沿った床（２）を有し、
前記床の内面（２ｂ）に上顎歯係合部（７）を形成し、
前記床の咬合面（２ａ）に下顎機能咬頭庄痕（３）を形成し、
前記床に左右一対のボールクラスプ（４）をそれぞれ上顎の左右の第１小臼歯と第２小臼歯の間に対応させて設け、
前記床に左右一対の単純鉤（５）をそれぞれ上顎の左右の第２大臼歯に対応させて設けたことを特徴とする下顎位矯正具。
【請求項２】
下顎歯を所定方向へ誘導する誘導路（６）を下顎機能咬頭庄痕（３）に形成したことを特徴とする請求項１に記載の下顎位矯正具。
【発明の詳細な説明】
【０００１】
【発明の属する技術分野】
本発明は、各種の不定愁訴を改善すべく、上顎歯に装用して下顎の位置を矯正することが可能な下顎位矯正具に関するものである。
【０００２】
【発明が解決しようとする課題】
近頃、頭痛、首筋のこり、鼻炎、顎関節の症状、顎の位置の不安定、肩こり、背中の痛み、四十肩、五十肩、腰痛、目のかすみ、耳鳴り、難聴、手足の冷えやしびれ、凹脚、肌荒れ、腹部膨満感、便秘、下痢、心悸亢進、低血圧、高血圧、生理痛、生理不順、昼間の眠け、はぎしりなどや、姿勢が悪い、歩き方がおかしい、杖をつかないとこけやすい、うつなどの不定愁訴に悩まされる患者が増加しつつある。
【０００３】
従来、こうした症状をもつ患者は整形外科、神経科、耳鼻科、眼科、内科、心療内科、歯科、さらには整体師、カイロプラクティック、柔道整復師、鍼灸師などを訪れていたが、治療効果が得られないだけでなく、異常はないとか原因がわからないとか、あるいは更年期障害、自律神経失調などと診断されて放置されてきた。
【０００４】
本発明は、このような事情に鑑み、患者が不定愁訴から解放されて健康を取り戻すことが可能な下顎位矯正具を提供することを目的とする。
【０００５】
【課題を解決するための手段】
本発明では、このような不定愁訴の原因が下顎位の異常（偏位）であるとの考えに立脚し、上顎歯に下顎位矯正具を装用して下顎を正しい位置に保持・誘導することに着目した。
【０００６】
すなわち、本発明のうち請求項１に係る発明は、上歯列弓に沿った床（２）を有し、前記床の内面（２ｂ）に上顎歯係合部（７）を形成し、前記床の咬合面（２ａ）に下顎機能咬頭庄痕（３）を形成し、前記床に左右一対のボールクラスプ（４）をそれぞれ上顎の左右の第１小臼歯と第２小臼歯の間に対応させて設け、前記床に左右一対の単純鉤（５）をそれぞれ上顎の左右の第２大臼歯に対応させて設けて構成される。ここで、床の材質としてはアクリル樹脂などの合成樹脂その他を採用することができる。
【０００７】
こうした構成を採用することにより、患者が上顎歯に床を装着して咬合を行えば、そのたびに下顎が下顎機能咬頭庄痕に押圧されて正しい向きに復位するように作用する。
【０００８】
また、本発明のうち請求項２に係る発明は、下顎歯を所定方向へ誘導する誘導路（６）を上記下顎機能咬頭庄痕（３）に形成して構成される。かかる構成により、咬合のたびに下顎歯が誘導路によって所定方向へ誘導されるように作用する。
【０００９】
なお、括弧内の符号は図面において対応する要素を表す便宜的なものであり、したがって、本発明は図面上の記載に限定拘束されるものではない。このことは「特許請求の範囲」の欄についても同様である。
【００１０】
【発明の実施の形態】
以下、本発明の実施形態を図面に基づいて説明する。
図１は本発明に係る下顎位矯正具の一実施形態を示す図であって、（ａ）はその平面図、（ｂ）はその背面図である。
【００１１】
この下顎位矯正具１は、図１に示すように、上歯列弓に沿ったアクリル樹脂製の床２を有しており、床２の内面２ｂには、図１（ｂ）に示すように、上顎歯係合部７が凹設されている。一方、床２の咬合面２ａには、図１（ａ）に示すように、下顎歯に対応した多数個の下顎機能咬頭庄痕３が所定深さ（例えば、臼歯は約３ｍｍ、前歯は約０．３ｍｍ）で凹設されており、各下顎機能咬頭庄痕３にはそれぞれ１〜３個の誘導路６が形成されている。また、床２には、図１（ｂ）に示すように、左右一対のボールクラスプ４がそれぞれ上顎の第１小臼歯と第２小臼歯の間に対応して内面２ｂ側に突出する形で取り付けられているとともに、左右一対の単純鉤５がそれぞれ上顎の第２大臼歯に対応して内面２ｂ側に突出する形で取り付けられている。
【００１２】
下顎位矯正具１は以上のような構成を有するので、この下顎位矯正具１を用いて患者の下顎の位置を矯正する際には、床２を上顎歯に装着してその咬合面および口蓋側面を被覆する。すると、各ボールクラスプ４がそれぞれ上顎の左右の第１小臼歯と第２小臼歯の間に嵌合するとともに、各単純鉤５がそれぞれ上顎の左右の第２大臼歯に係合するので、下顎位矯正具１が上顎歯に確実に固定される。
【００１３】
そして、この状態で患者が咬合を行うと、下顎位矯正具１が下顎歯に当接することになるが、床２の咬合面２ａには多数個の下顎機能咬頭庄痕３が形成されているので、これらの下顎機能咬頭庄痕３に押圧される形で下顎が咬合のたびに正しい向き（前方、後方、右方または左方）に復位する。したがって、こうした咬合を繰り返すと、患者の下顎の位置が是正される。しかも、すべての下顎機能咬頭庄痕３に誘導路６が形成されているので、咬合のたびに下顎歯が所定方向へ誘導されることになる。このとき、下顎位矯正具１は上顎歯に確実に固定されているため、患者が咬合を繰り返しても上顎歯から外れる恐れはない。そのため、患者は下顎の位置が矯正され、各種の不定愁訴から解放される結果となる。
【００１４】
なお、上述の実施形態においては、アクリル樹脂製の床２を用いた下顎位矯正具１について説明したが、床２の材質は口腔衛生上の問題がないものである限り、いかなる材質を採用してもよい。
【００１５】
【発明の効果】
以上説明したように、本発明によれば、患者が上顎歯に床を装着して咬合を行うたびに、下顎が下顎機能咬頭庄痕に押圧されて正しい向きに復位し、下顎歯が誘導路によって所定方向へ誘導されることから、患者が不定愁訴から解放されて健康を取り戻すことが可能な下顎位矯正具を提供することができる。
【図面の簡単な説明】
【図１】本発明に係る下顎位矯正具の一実施形態を示す図であって、（ａ）はその平面図、（ｂ）はその背面図である。
【符号の説明】
１……下顎位矯正具
２……床
２ａ……咬合面
２ｂ……内面
３……下顎機能咬頭庄痕
４……ボールクラスプ
５……単純鉤
６……誘導路
７……上顎歯係合部
【図１】
2004073628.tif 000003
(57)【要約】【課題】極めて簡単に且つ確実に洗浄でき、場所を取らず扱い易いようにすることにある。【解決手段】食材、そのゴミ、その他、小物等を収納する収納具であって、多数の通孔２を開設し、円弧縁の一部に把手片３を設けた略扇形形状の合成樹脂製シート材１を、把手片３が上方に突出する形態で逆円錐筒形状に巻回止着したことを特徴とし、流し台のシンク内に吊り下げたり、垂直面に掛けたりし、また、巻回止着を外してシート状の平面にすることにより、確実に洗浄しようとするものである。【選択図】　　　　図１
2004073677.tif 000002
【特許請求の範囲】
【請求項１】
多数の通孔（２）を開設し、一部に把手片（３）を設けた合成樹脂製のシート材（１）を、前記把手片（３）が上方に突出する形態で逆円錐筒形状に巻回止着したことを特徴とする収納具。
【請求項２】
シート材（１）を略扇形形状にすると共に、円弧縁の一部に把手片（３）を設けたことを特徴とする請求項１に記載の収納具。
【発明の詳細な説明】
【０００１】
【発明の属する技術分野】
本発明は、食材、そのゴミ、その他、小物等を収納する収納具に関するものである。
【０００２】
【従来の技術】
野菜等の或る種の食材は、水洗いして或る程度の時間、水切りをする必要があり、台所等の調理場ではこの水洗いした食材を例えば「ざる」に入れてこれを行っていた。
【０００３】
また、この調理の際に生じる野菜屑等のゴミは、流し台のシンク内に設置されている所謂三角コーナーと称されるゴミ入れに収納されていた。
【０００４】
或いは、化粧時、洗顔時等に使用される水分を含んだスポンジは、浴室内や洗面所において、所定の容器に収納して水切りをしながら且つ乾燥させるようにしていた。更には、洗髪時に抜ける毛髪も、所定箇所に設置されたゴミ入れに入れることになる。
【０００５】
【発明が解決しようとする課題】
しかしながらこれ等のゴミ入れは、当然のことながら極めて汚れ易く、放置しておくと不潔であるばかりでなく悪臭を放つ原因にもなるので、洗浄を常に行わなければならない。
【０００６】
処がこれ等のゴミ入れ容器は、通気孔として或いは水切り孔として、多数の孔なり隙間が形成されているので、ゴミが詰まり易く、しかも比較的小さな容器形状であるから、内部の隅々まで洗浄することは極めて行いにくかった。
【０００７】
また、水切りを行うためシンクや洗面台内に設置せざるを得ず、場所を占め、転倒し易い等の不都合もあった。
【０００８】
よって本発明は、この従来の不満点を解消し要求に応えるべく発明された収納具であって、極めて簡単に且つ確実に洗浄でき、場所を取らず扱い易いようにすることを目的とする。
【０００９】
【課題を解決するための手段】
上述した従来の課題を解決する本発明は、多数の通孔を開設し、一部に把手片を設けた合成樹脂製のシート材を、把手片が上方に突出する形態で逆円錐筒形状に巻回止着したことを特徴とする構成である。
【００１０】
この場合、シート材を略扇形形状にすると共に、円弧縁の一部に把手片を設けた構成とする。
【００１１】
【発明の実施の形態】
以下、本発明の実施の形態を説明すると、ポリプロピレン等の合成樹脂で成形されるシート材１は半円形に近い扇形形状であって、多数の通孔２が開設されてあり、円弧縁の一部に把手片３が突設され、一方の側端部には係止孔４がスリット状に設けられ、他方の側端部にはこの係止孔４に嵌入係止する係止舌片５が設けられ、更に頂点には複数の切り込み６が放射状に設けられている。
【００１２】
そして、シート材１を頂点を下端にして逆円錐筒形状に巻回し、係止孔４に係止舌片５を嵌入係止して把手片３が上方に突出する形態で止着して、収納具容器７として構成するのである。
【００１３】
尚、把手片３の上端部には取付け孔８が開設され、この取付け孔８の内縁左右には突片９が突設されている。
【００１４】
上述した構成で、把手片３を適宜箇所に吊り下げて収納具容器７を設置し、内部に水洗いした野菜、茹でた麺類等を収納して水切りざるとして使用し、或いは調理中に出たクズを入れる所謂三角コーナーとして利用し、浴室や洗面所で化粧用または体洗い用の水分を含んだスポンジを収納したり、更には例えば洗濯挟み等の小物を入れたり等、多くの用途が期待できる。
【００１５】
そして下端となる複数の放射状の切り込み６及び多数の通孔２によって、収納した野菜等の水分の漏出を確実に達成させることができ、通気性が良いので、例えばスポンジの乾燥を促進させる。
【００１６】
収納具容器７を設置するべく把手片３を適宜箇所に吊り下げる手段としては、例えば図１、図３等に示した吸盤１０を用いると良い。この吸盤１０は、円錐形の吸着部１１上面中心に球体１２を連設し、この球体１２に貫通孔１３を設けた構成である。
【００１７】
そこで吸盤１０を例えば流し台の縁に吸着固定し、前記した把手片３の取付け孔８に球体１２を嵌込むのである。この場合、取付け孔８内縁左右の突片９を貫通孔１３内に係止するようにすれば（図４参照）、吸盤１０に対する把手片３の組付きが確実となり、また左右方向への動きを抑制することができる。
【００１８】
更に取外しも容易であり、三角コーナーのようなゴミ入れとして使用する場合には、把手片３を持って別の箇所に収納したゴミを捨てることができるので、手を汚すことはない。
【００１９】
さて、洗浄する場合には、係止孔４から係止舌片５を外せば収納具容器７は平面的となってシート材１となるので、ブラシと洗剤を使用する等して通孔２まで確実に洗うことができる。尚、図１の実施例は吸盤１０を例えば流し台のシンク上端の水平な縁部分に装着し、収納具容器７をシンク内に吊り下げる形態であるが、用途によっては吸盤１０を垂直壁面に装着しても良いものである。
【００２０】
【発明の効果】
以上説明したように本発明の収納具によれば、小型で如何なる箇所にも吊り下げることができるので場所を取らず、水切れや通気性に優れ、組立てが容易であり、簡単且つ確実に洗浄できるので極めて衛生的であり、販売時や不使用時には平面状にして重ねることができ、合成樹脂シート製であるから、色とりどりの製品を大量に廉価に生産できる等、多くの優れた作用効果を奏する。
【図面の簡単な説明】
【図１】本発明の収納具の斜視図である。
【図２】本発明の収納具の展開平面図である。
【図３】吸盤の斜視図である。
【図４】吸盤に把手片を組み付けた状態の一部断面図である。
【符号の説明】
１；シート材、２；通孔、３；把手片、４；係止孔、５；係止舌片、６；切り込み、７；収納具容器、８；取付け孔、９；突片、１０；吸盤、１１；吸着部、１２；球体、１３；貫通孔。
【図１】
2004073677.tif 000003
【図２】
2004073677.tif 000004
【図３】
2004073677.tif 000005
【図４】
2004073677.tif 000006